(57)【要約】      （修正有）【課題】地震・火災または座礁などの災害発生時、宿泊施設内のそれぞれの客室に滞在する多種にわたる民族の常用言語による避難手段などの情報を第一報で伝達する機能を有する装置を提供する。【解決手段】ホテルや大型クルーズ船などの宿泊施設のそれぞれの客室内に設置された装置である。メモリ拡張スロットＣが設けられたデジタル液晶ディスプレイＢと、液晶ディスプレイＢ内に設置され、各国の言語名が登録された内蔵メモリＤとを備える。デジタル液晶ディスプレイＢは、多言語名を表示するとともに、宿泊客の常用言語の選定を受け付け、災害や事故の予知や発生時に発信される地震速報や特別警報や専用発信機の電波を受信した場合は、メモリ拡張スロットＣに設置された増設メモリＥに登録された多言語による災害や避難誘導の中から、選定された常用言語による情報を伝達する。【選択図】図１
0003193734.tif 000002
【実用新案登録請求の範囲】
【請求項１】
多岐にわたる人種や言語の異なる人々がホテルや大型クルーズ船などの宿泊施設に滞在中に、地震や遭難事故などの災害を予知または発生した場合、それぞれの客室に設置された本考案による各種メモリスロット内蔵のデジタル液晶ディスプレイ（メモリー拡張スロット付）により、第一報で災害の情報や避難手段を常用言語により伝達する機能を有する装置。
【考案の詳細な説明】
【技術分野】
【０００１】  この考案は、ホテルや大型クルーズ船（以下、宿泊施設）のそれぞれの客室に滞在する多種にわたる民族の旅客が災害に遭遇した場合、第一報でそれぞれの旅客の常用言語による災害情報や避難手段を伝達する装置に関する。
【背景技術】
【０００２】  緊急時に発信される災害情報は日本語のみで、多種にわたる民族が滞在する宿泊施設内のそれぞれの客室の旅客にそれぞれの常用言語による災害情報や避難手段を第一報で伝達する機能を有する装置は存在しなかった。
【考案が解決しようとする課題】
【０００３】  この考案は、多種にわたる民族が宿泊する施設のそれぞれの客室に地震などの緊急事態が予知または発生した場合に、旅客の常用言語のよる避難手段などの情報を第一報で伝達するものである。
【課題を解決するための手段】
【０００４】  この考案によるデジタル液晶ディスプレイ（以下、表示装置）内には、各国言語の選択機能が装備され、選択された言語による避難手段などの情報が記憶されており、災害時にはそれぞれの客室に設置されたその装置が稼働するものである。
【発明の効果】
【０００５】  この考案は、多種にわたる民族が集うオリンピックの選手村の宿舎のそれぞれの個室に設置され、災害時にはそれぞれに民族の常用言語による災害対応の情報を伝達し、パニックの発生などの事故に対応するものである。
一例として、２０１２年１月にイタリアのジリオ島沖で起きた、大型クルーズ船コスタ・コンコルディア号の座礁事故に遭遇した日本人旅行者が「言語が分からず、どのような行動を取ったらよいか、本当にこわかった」と語っていたが、この装置はこれらの問題を解決するものである。
【実施例】
【０００６】  この考案は、この考案による発信装置を表示装置の二つの機器により構成されるものである。【０００７】  この考案における発信装置は、宿泊施設の立地条件などを考慮した各種災害の登録が可能であり、災害の発生時には無線または有線により表示装置に発生した災害情報を伝達するものである。また、発信装置には地上波による地震速報の情報を受信する機能を有するものである。【０００８】  この考案による表示装置の内蔵メモリには各国の言語名が登録されており、旅客がその中から自分の常用言語名を選択しタッチすることで、発信装置から送られてくる情報が常用言語で伝達されるものである。
また、表示装置に設けられたメモリ拡張スロットに各国の言語による災害情報や避難手段などを登録された各種メモリをセッティングすることで、増設メモリとして機能するものである。
さらに、この表示装置には地上波による地震速報などの受信機能を装備しており表示装置単体でも災害に対応するものである。【０００９】  この考案による装置の稼働例を記せば、発信装置は宿泊施設の夜間においても常時、従業員や船員が在籍しているホテルのフロントや大型クルーズ船の操舵室などに設置され、災害の予知または発生時には、発生した災害の種類に適応したスイッチを作動させ、その信号は表示装置に送られる。その信号を受信した表示装置は内蔵メモリの選定された常用言語に伝達され、その信号を増設メモリに伝達し、選定された常用言語による情報をディスプレイに文字とスピーカによる音声で室内の旅客に伝達するものである。
【図面の簡単な説明】
【００１０】
【図１】  この考案に関わる装置に関する作動時における説明図の一例である。
【符号の説明】Ａ        発信装置
Ｂ        表示装置（デジタル液晶ディスプレイ）
Ｃ        メモリ拡張スロット
Ｄ        内蔵メモリ（各国言語名の表示）
Ｅ        増設メモリ（各国言語による各種災害情報など）
１〜１９  各種災害別名
２０      地上波による地震速報
▲１▼〜▲１９▼  選定された災害とその対応情報
▲２０▼  地震速報やＪアラートによる災害情報
ａ〜ｚ    各国言語名
▲ａ▼〜▲ｚ▼  選定された言語
―→      無線・有線による回路
【図１】
0003193734.tif 000003
【手続補正書】
【提出日】平成26年2月6日(2014.2.6)
【手続補正１】
【補正対象書類名】実用新案登録請求の範囲
【補正対象項目名】全文
【補正方法】変更
【補正の内容】
【実用新案登録請求の範囲】
【請求項１】
多岐にわたる人種や言語の異なる人々が集うホテルや大型クルーズ船などの宿泊施設のそれぞれの客室に設置し、災害や事故の発生及び避難誘導に関する緊急情報を多言語に転換して伝達する装置。例えば、地上波による地震速報などで発信される電波を受信した場合には、メモリ拡張スロット内蔵のデジタル液晶ディスプレイ内に装備している、各国言語が登録された内蔵メモリと避難手段などが登録された増設メモリを連動させ、それぞれの客室に滞在する旅客の常用言語により災害や事故情報、安全な場所への誘導情報などを第一報で伝達する。また、大型クルーズ船や宿泊施設が地上波の電波の届かない洋上や特異な場所での災害や事故への遭遇を想定しておき、実際に災害や事故が発生した場合には専用発信機によりデジタル液晶ディスプレイを稼働させ、避難誘導に関する情報を伝達する装置である。
【手続補正２】
【補正対象書類名】明細書
【補正対象項目名】０００５
【補正方法】変更
【補正の内容】
【０００５】  この考案は、多岐にわたる民族が集う「オリンピック（登録商標）」などの国際競技大会やサミットなどの国際会議における宿舎の個室に設置され、各種災害やテロ行為などの発生時において常用言語による各種情報を第一報で伝達対応するものであ。
一例として、２０１２年１月にイタリア・ジリオ島沖で起きた、大型クルーズ船コスタ・コンコルディア号の座礁事故に遭遇した日本人旅行者が「何が起こったのか、どのような行動をすればよいのか、言語も分からず、本当に怖かった」と語っていたが、この装置はこれらの問題を解決するものである。
【手続補正３】
【補正対象書類名】明細書
【補正対象項目名】０００６
【補正方法】変更
【補正の内容】
【０００６】  この考案は、宿泊施設の立地・構造や地上波の電波が届かない洋上での船舶など異常な状況における場合にデジタル液晶ディスプレイに対応する専用発信機により災害などの情報を発信するものである。
【手続補正４】
【補正対象書類名】明細書
【補正対象項目名】００１０
【補正方法】変更
【補正の内容】
【００１０】
【図１】この考案に関わる装置に関する作動時における説明図の一例である。
【符号の説明】
Ａ・Ｂ・Ｃ…Ｚ．          各国言語名の表示
ａ・ｂ・ｃ…ｚ．          選定された言語
１・２・３…９．          各種災害名の表示及び作動スイッチ
１１・１２・１３…１９．  増設メモリにおける各種災害の対応情報
１０．                    地震速報など災害発生時に発信される地上波の電波
２０．                    地震速報などの災害発生時に発信される地上波の信号を受信                          した場合に対応する情報
………                    無線・有線による作動回路
【手続補正５】
【補正対象書類名】図面
【補正対象項目名】図１
【補正方法】変更
【補正の内容】
【図１】
0003193734.tif 000004
【手続補正書】
【提出日】平成26年5月8日(2014.5.8)
【手続補正１】
【補正対象書類名】実用新案登録請求の範囲
【補正対象項目名】全文
【補正方法】変更
【補正の内容】
【実用新案登録請求の範囲】
【請求項１】
ホテルや大型クルーズ船などの宿泊施設のそれぞれの客室内に設置された装置であって、メモリ拡張スロットが設けられたデジタル液晶ディスプレイの内蔵メモリに登録された多言語名が表示された液晶ディスプレイの中から宿泊客の常用言語を選定し、災害や事故の予知や発生時に発信される地震速報や特別警報などや専用発信機の電波を受信した場合は増設メモリに登録された多言語による災害や避難誘導の中から選定された常用言語による情報を伝達する装置。
【請求項２】
地上と異なる災害や事故の発生が考えられる洋上を航行する大型クルーズ船や、地上における宿泊施設においても立地条件や建造物の構造条件などを考慮した独自の避難誘導を伝達したい場合には、専用発信機に予測される事故件数の事故名を登録し、それらの事故発生時にはスタッフが作動させ、各客室内に設置されたデジタル液晶ディスプレイを稼動させる機能を有する専用発信装置。
【手続補正２】
【補正対象書類名】明細書
【補正対象項目名】０００６
【補正方法】変更
【補正の内容】
【０００６】  この考案は、この考案による発信装置と表示装置の二つの機器により構成されるものである。
【手続補正書】
【提出日】平成26年7月23日(2014.7.23)
【手続補正１】
【補正対象書類名】実用新案登録請求の範囲
【補正対象項目名】全文
【補正方法】変更
【補正の内容】
【実用新案登録請求の範囲】
【請求項１】
ホテルや大型クルーズ船などの宿泊施設のそれぞれの客室内に設置された装置であって、メモリ拡張スロットが設けられたデジタル液晶ディスプレイと、前記液晶ディスプレイ内に設置され、各国の言語名が登録された内蔵メモリとを備え、前記デジタル液晶ディスプレイは、多言語名を表示するとともに、宿泊客の常用言語の選定を受け付け、災害や事故の予知や発生時に発信される地震速報や特別警報や専用発信機の電波を受信した場合は、前記メモリ拡張スロットに設置された増設メモリに登録された多言語による災害や避難誘導の中から、選定された常用言語による情報を伝達することを特徴とした装置。
【請求項２】
それぞれの客室に設置された請求項１に記載の装置において、ホテルのフロントや大型クルーズ船の操舵室に設置され、予測される事故件数の事故名を登録した発信装置と、前記発信装置に設置されたスイッチに接続され、地上と異なる災害や事故の発生が考えられる洋上を航行する大型クルーズ船や、地上における宿泊施設においても立地条件や建造物の構造条件などを考慮した独自の避難誘導を伝達したい場合には、前記スイッチからの信号を受信して、前記デジタル液晶ディスプレイを稼動させることを特徴とする、請求項１に記載の装置。